(57)【要約】 【課題】光源をユニット化して一体に扱うことができ、組付け作業性が良好な交通信号用灯器を提供する。【解決手段】光源２１を前面から覗かせる前部カバー体４０と、光源ユニット２０を後方から覆う後部カバー体５０とを前後から合わせて光源ユニット２０を収納し、光源ユニット２０の外周縁部２５を前部カバー体４０の受け面４１ａに当接させ、外周縁部２５を後から押さえる押え爪３０を複数箇所に配設し、押え爪３０は、前部カバー体４０の縁部４２に立設されたネジ３２が挿通して支持され、ネジ３２の拡幅された頭部３２ａから抜けないよう螺合する蝶ねじ３１により押えられて光源ユニット２０に圧接する押え部３５を有し、押え部３５が光源ユニット２０を押える保持位置と、光源ユニット２０から逃げる開放位置とに転換可能である。【選択図】図１
2005284532.tif 000002
【特許請求の範囲】
【請求項１】
光源と駆動回路部とを備えた光源ユニットを内装し、交通設備の要所に設置される交通信号用灯器であって、
前記光源を前面から覗かせる前部カバー体と、前記光源ユニットを後方から覆う後部カバー体とを前後から合わせて前記光源ユニットを収納し、
前記前部カバー体は、前記光源を覗かせ、かつ前記光源ユニットの前部外周に密接するリング孔と、前記後部カバー体に密接する縁部と、前記光源ユニットの受け面を備え、
前記光源ユニットの外周縁部を前記前部カバー体の受け面に当接させ、該外周縁部を後から押さえる押え爪を複数箇所に配設し、
前記押え爪は、前記前部カバー体の縁部に立設されたネジが挿通して支持され、該ネジの拡幅された頭部から抜けないよう螺合する蝶ねじにより押えられて前記光源ユニットに圧接する押え部を有し、該押え部が前記光源ユニットを押える保持位置と、前記光源ユニットから逃げる開放位置とに転換可能であることを特徴とする交通信号用灯器。
【請求項２】
前記押え爪は、前記蝶ねじを締めこんだとき、端部が前記前部カバー体の一部に引っ掛かって回り止めされることを特徴とする請求項１に記載の交通信号用灯器。
【発明の詳細な説明】
【技術分野】
【０００１】
本発明は、光源と駆動回路部とを備えた光源ユニットを内装し、交通設備の要所に設置される交通信号用灯器に関する。
【背景技術】
【０００２】
従来の技術としては、例えば特許文献１に示すようなものがある。  
すなわち、特許文献１の特開２００２−２１６２９５号公報には、反射鏡とランプが収容された箱状の灯器本体と、レンズが装着された前面蓋とから成っており、灯器本体と前面蓋の上縁および下縁の対称位置に夫々一対の軸受部を突出形成して、灯器本体と前面蓋とを結合する技術が開示されている。
【０００３】
【特許文献１】特開２００２−２１６２９５号公報
【発明の開示】
【発明が解決しようとする課題】
【０００４】
しかしながら、このような従来の技術では、レンズが前面蓋に装着されていて灯器本体からレンズが別体になってしまうので、光源を一体として扱うことができず、レンズと光源との位置精度が問題であり、また、組付け作業性が悪いという問題点があった。
【０００５】
本発明は、このような従来の技術が有する問題点に着目してなされたもので、光源をユニット化して一体に扱うことができ、組付け作業性が良好な交通信号用灯器を提供することを目的としている。
【課題を解決するための手段】
【０００６】
かかる目的を達成するための本発明の要旨とするところは、次の各項の発明に存する。
［１］  光源（２１）と駆動回路部（２２）とを備えた光源ユニット（２０）を内装し、交通設備の要所に設置される交通信号用灯器（１０）であって、
前記光源（２１）を前面から覗かせる前部カバー体（４０）と、前記光源ユニット（２０）を後方から覆う後部カバー体（５０）とを前後から合わせて前記光源ユニット（２０）を収納し、
前記前部カバー体（４０）は、前記光源（２１）を覗かせ、かつ前記光源ユニット（２０）の前部外周に密接するリング孔（４１）と、前記後部カバー体（５０）に密接する縁部（４２）と、前記光源ユニット（２０）の受け面（４１ａ）を備え、
前記光源ユニット（２０）の外周縁部（２５）を前記前部カバー体（４０）の受け面（４１ａ）に当接させ、該外周縁部（２５）を後から押さえる押え爪（３０）を複数箇所に配設し、
前記押え爪（３０）は、前記前部カバー体（４０）の縁部（４２）に立設されたネジ（３２）が挿通して支持され、該ネジ（３２）の拡幅された頭部（３２ａ）から抜けないよう螺合する蝶ねじ（３１）により押えられて前記光源ユニット（２０）に圧接する押え部を有し、該押え部が前記光源ユニット（２０）を押える保持位置と、前記光源ユニット（２０）から逃げる開放位置とに転換可能であることを特徴とする交通信号用灯器（１０）。
【０００７】
［２］  前記押え爪（３０）は、前記蝶ねじ（３１）を締めこんだとき、端部が前記前部カバー体（４０）の一部に引っ掛かって回り止めされることを特徴とする項１に記載の交通信号用灯器（１０）。
【０００８】
前記本発明は次のように作用する。  
本発明に係る交通信号用灯器（１０）は、交通設備の要所に設置され、駆動回路部（２２）から光源（２１）に電力を供給し、点滅等をさせて交通案内をする。
【０００９】
光源ユニット（２０）は、前部カバー体（４０）と、後方から覆う後部カバー体（５０）とを前後から合わせて密閉収納される。前部カバー体（４０）の縁部（４２）が後部カバー体（５０）に密接し、光源ユニット（２０）の前部外周には前部カバー体（４０）のリング孔（４１）が密接する。これにより、前部カバー体（４０）と後部カバー体（５０）とは、外部への突出部を形成することなく密接に結合する。
【００１０】
光源ユニット（２０）の前部カバー体（４０）への組み付けは次のようにしてなされる。
光源ユニット（２０）を後から押えて保持するよう前部カバー体（４０）の縁部（４２）の複数箇所に配設された押え爪（３０）は、押え部（３５）が光源ユニット（２０）から逃げる開放位置にしておく。
【００１１】
この状態で光源ユニット（２０）の外周縁部（２５）を前部カバー体（４０）の受け面（４１ａ）に当接させ、押え爪（３０）を押え部（３５）が光源ユニット（２０）を押える保持位置に転換する。押え爪（３０）は、前部カバー体（４０）の縁部（４２）に立設して挿通しているネジ（３２）周りに回して転換する。押え爪（３０）が保持位置に転換してから、ネジ（３２）の拡幅された頭部（３１ａ）から抜けないよう螺合している蝶ねじ（３１）を回して押え爪（３０）を押し込んでゆく。
【００１２】
十分に蝶ねじ（３１）を回動させると、押え爪（３０）が移動し、押え爪（３０）の端部が前部カバー体（４０）の一部に引っ掛かって回り止めされる。さらに蝶ねじ（３１）を回動させると、押え爪（３０）の押え部（３５）が光源ユニット（２０）の外周縁部（２５）を前部カバー体（４０）のリング孔（４１）の受け面（４１ａ）に押し付けて保持する。
【００１３】
光源ユニット（２０）を前部カバー体（４０）から外すときは、前記とは逆に蝶ねじ（３１）を回動させる。押え爪（３０）の端部が前部カバー体（４０）の一部に引っ掛かって回り止めされているので、押え爪（３０）が共回りすることがなく、作業がし易い。蝶ねじ（３１）を緩め方向に十分に回動させると、押え爪（３０）が光源ユニット（２０）の外周縁部（２５）から浮き上がるので、押え爪（３０）を開放位置に転換する。これにより光源ユニット（２０）を前部カバー体（４０）から外すことができる。
【００１４】
光源（２１）は、外部から視認できるよう、前部が前部カバー体（４０）のリング孔（４１）から覗き、駆動回路部（２２）から光源（２１）に電力が供給され、点滅等をして交通案内をする。
【発明を実施するための最良の形態】
【００１５】
以下、図面に基づき本発明の好適な一実施の形態を説明する。  
各図は本発明の一実施の形態を示している。  
交通信号用灯器１０は、交通設備の要所に設置されるものであり、形態は図７および図８に示すとおりであり、通常は青、黄、赤の３組で構成され、それぞれの組は同様の構成をしており、光源２１を前面から覗かせる前部カバー体４０と、光源ユニット２０を後方から覆う後部カバー体５０とを前後から合わせて光源ユニット２０が収納され、前部カバー体４０には、フード１５が装着されている。
【００１６】
図１〜図４でわかるように、光源ユニット２０は、ＬＥＤ（発光ダイオード）である光源２１と駆動回路部２２と前部のレンズ体２３とが一体的に構成されて成る。前部カバー体４０は、光源ユニット２０のレンズ体２３を前方に開放するリング孔４１および受け面４１ａと、後部カバー体５０に密接する縁部４２とを備え、光源ユニット２０のレンズ体２３をこのリング孔４１に通してから受け面４１ａに外周縁部２５を押し当て、後から押え爪３０で光源ユニット２０の外周縁部２５を押さえ、蝶ねじ３１で固定されている。
【００１７】
前部カバー体４０の縁部４２にはネジ３２が立設され、このネジ３２が挿通して、光源ユニット２０の外周縁部２５を後から押さえるよう複数箇所に配設された押え爪３０が支持されている。ネジ３２には、拡幅された頭部３２ａから抜けないよう蝶ねじ３１が螺合されている。
【００１８】
押え爪３０は、蝶ねじ３１により押えられて光源ユニット２０に圧接する押え部３５が基部３４から折り曲げて延設され、基部３４の押え部３５の反対側には、係合端部３６が基部３４から折り曲げて延設されている。係合端部３６には、締付け時の係合端３７と取外し時の係合端３８が設けられている。また、ネジ３２に挿嵌されたばね３９により押え爪３０がネジ３２の頭部３２ａの方向に付勢されている。
【００１９】
係合端３８は係合端３７より足長が短く設定されている。前部カバー体４０の縁部４２には係合リブ４３が設けられており、係合端３８と係合端３７との間の係合溝３９が係合リブ４３に嵌まり込むようになっている。押え爪３０は、ネジ３２に枢支され、押え部３５が光源ユニット２０の外周縁部２５を押える保持位置と、光源ユニット２０の外周縁部２５から逃げる開放位置とに転換可能である。
【００２０】
押え爪３５は、蝶ねじ３１を締めこんだとき、端部である係合端３８と係合端３７とが前部カバー体２０の一部である係合リブ４３に引っ掛かって回り止めされるようになっている。
【００２１】
後部カバー体５０は、光源ユニット２０を後方から覆う箱状の収納部５１の前部に前縁部５２を備えて成る。前部カバー体４０と後部カバー体５０とがヒンジ状に連結可能なよう、前部カバー体４０の縁部４２に後方に突出する連結突起部４５が設けられ、後部カバー体５０には、連結突起部４５が嵌合する受け凹部５５が設けられている。
【００２２】
前部カバー体４０の縁部４２の連結突起部４５には、ヒンジピン４６が嵌合する軸孔４５ａが穿設され、後部カバー体５０の前縁部５２には、受け凹部５５を横断して前部カバー体４０のヒンジピン４６が納まって保持するピン受け溝５６が形成されている。
【００２３】
前部カバー体４０と後部カバー体５０とを結合するとき、ヒンジピン４６は、前部カバー体４０を煽り戸状に開いた状態で押え金具５７を後部カバー体５０の前縁部５２にねじ５７ａ止めする。
【００２４】
前部カバー体４０の連結突起部４５を後部カバー体５０の受け凹部５５に嵌合させ、ヒンジピン４６によりヒンジ状に連結することにより、前部カバー体４０は煽り戸状に開閉可能で、閉じたとき、外部への突出部を形成することなく前部カバー体４０と後部カバー体５０とが密接に結合する。
【００２５】
前部カバー体４０と後部カバー体５０とのヒンジ結合させた側とは反対側の端部は、押え金具５７を利用してピン４７をねじ４７ａで固結してある。
【００２６】
次に作用を説明する。
交通信号用灯器１０は、交通設備の要所に設置され、駆動回路部２２から光源２１に電力を供給し、点滅等をさせて交通案内をする。
【００２７】
前部カバー体４０と後部カバー体５０とは、前部カバー体４０の縁部４２に後方に突出して設けられた連結突起部４５を、後部カバー体５０の受け凹部５５に嵌合させて結合する。光源ユニット２０は、前部カバー体４０と、後方から覆う後部カバー体５０とを前後から合わせて密閉収納される。前部カバー体４０の縁部４２が後部カバー体５０に密接し、光源ユニット２０の前部外周には前部カバー体４０のリング孔４１が密接する。これにより、前部カバー体４０と後部カバー体５０とは、外部への突出部を形成することなく密接に結合する。
【００２８】
前部カバー体４０は、光源ユニット２０のレンズ体２３を前方に開放するリング孔４１および受け面４１ａと、後部カバー体５０に密接する縁部４２とを備え、光源ユニット２０のレンズ体２３をこのリング孔４１に通してから受け面４１ａに外周縁部２５を押し当て、後から押え爪３０で光源ユニット２０の外周縁部２５を押さえ、蝶ねじ３１で固定されている。
【００２９】
光源ユニット２０を前部カバー体４０に組付けるときは、図５（ａ），（ｂ）に示すように、光源ユニット２０を後から押えて保持するよう前部カバー体４０の縁部４２の複数箇所に配設された押え爪３０，３０…は、押え部３５が光源ユニット２０の外周縁部２５から逃げる開放位置に転換しておく。
【００３０】
この状態で光源ユニット２０の外周縁部２５を前部カバー体４０のリング孔４１の受け面４１ａに当接させ、押え爪３０を押え部３５が光源ユニット２０を押える保持位置に転換する。押え爪３０は、前部カバー体４０の縁部４２に立設して挿通しているネジ３２周りに回して保持位置に転換する。押え爪３０が保持位置に転換してから、ネジ３２の拡幅された頭部３２ａから抜けないよう螺合している蝶ねじ３１を回して押え爪３０を押し込んでゆく。
【００３１】
十分に蝶ねじ３１を回動させると、押え爪３０が移動し、押え爪３０の係合端部３６の係合端３７が前部カバー体４０の一部である係合リブ４３に引っ掛かって回り止めされる。さらに蝶ねじ３１を回動させると、係合端３８と係合端３７との間の係合溝３９が係合リブ４３に嵌まり込み、押え爪３０の押え部３５が光源ユニット２０の外周縁部２５を前部カバー体４０のリング孔４１の受け面４１ａに押し付けて保持する。
【００３２】
光源ユニット２０を前部カバー体４０から外すときは、図６（ａ）〜（ｃ）に示すように、前記とは逆に蝶ねじ３１を回動させる。押え爪３０の端部が前部カバー体４０の一部である係合端３８に引っ掛かって回り止めされているので、押え爪３０が共回りすることがなく、作業がし易い。蝶ねじ３１を緩め方向に十分に回動させると、押え爪３０がばね３９の付勢力により光源ユニット２０の外周縁部２５から浮き上がるので、押え爪３０を開放位置に転換する。これにより光源ユニット２０を前部カバー体４０から外すことができる。
【００３３】
光源２１は、外部から視認できるよう、前部が前部カバー体４０のリング孔４１から覗き、駆動回路部２２から光源２１に電力が供給され、点滅等をして交通案内をする。
【図面の簡単な説明】
【００３４】
【図１】本発明の一実施の形態に係る交通信号用灯器の説明要部断面図である。
【図２】本発明の一実施の形態に係る交通信号用灯器の押え爪の斜視図である。
【図３】本発明の一実施の形態に係る交通信号用灯器の分解説明断面図である。
【図４】本発明の一実施の形態に係る交通信号用灯器の前部カバー体の正面図である。
【図５】本発明の一実施の形態に係る交通信号用灯器の光源ユニットの装着時の説明斜視図である。
【図６】本発明の一実施の形態に係る交通信号用灯器の光源ユニットの取り外し時の説明斜視図である。
【図７】本発明の一実施の形態に係る交通信号用灯器の正面図である。
【図８】本発明の一実施の形態に係る交通信号用灯器の側面図である。
【符号の説明】
【００３５】
１０…交通信号用灯器
２０…光源ユニット
２１…光源
２２…駆動回路部
２３…レンズ体
２５…外周縁部
３０…押え爪
３１…蝶ねじ
３２…ネジ
３２ａ…頭部
３５…押え部
３６…係合端部
４０…前部カバー体
４１…リング孔
４１ａ…受け面
４２…縁部
４３…係合リブ
４５…連結突起部
４５ａ…軸孔
４６…ヒンジピン
４７…ピン
４７ａ…ねじ
５０…後部カバー体
５１…収納部
５２…前縁部
５５…受け凹部
５６…ピン受け溝
５７…押え金具
【図１】
2005284532.tif 000003
【図２】
2005284532.tif 000004
【図３】
2005284532.tif 000005
【図４】
2005284532.tif 000006
【図５】
2005284532.tif 000007
【図６】
2005284532.tif 000008
【図７】
2005284532.tif 000009
【図８】
2005284532.tif 000010